(57)【要約】      （修正有）【課題】携帯に便利であり、かつ固定部材により周囲にポールがある場所に迅速に取り付けと取り外しができ、位置決めフレームと固定部材を棒状体の両端から取り外した後、棒状体を傘、杖、ステッキ、釣竿、ペン、マイクスタンドまたは譜面台等として使用できるハンドヘルド型モバイル端末固定装置の延伸棒を提供する。【解決手段】延伸棒は、棒状体１の両端に取り外し可能な方式で外部の固定装置の位置決めフレーム２及び固定部材３が設置され、前記位置決めフレームが外部のモバイル端末７を嵌持して位置決めするために用いられ、前記固定部材が平面または棒体を含む外部物品上に前記棒状体と前記位置決めフレームを固定し、前記モバイル端末を懸持するために用いられ、前記棒状体が一端に前記位置決めフレームを結合可能な第２接続部１２を備え、他端に前記固定部材を結合可能な第１接続部１１を備える。【選択図】図１
0003180902.tif 000002
【実用新案登録請求の範囲】
【請求項１】
ハンドヘルド型モバイル端末固定装置の延伸棒であって、
棒状体を含み、
前記棒状体の両端に取り外し可能な方式で外部の固定装置の位置決めフレームと固定部材がそれぞれ設置され、
前記位置決めフレームが外部のモバイル端末を嵌持して位置決めするために用いられ、
前記固定部材が平面または棒体を含む外部物品上に前記棒状体と前記位置決めフレームを固定し、前記モバイル端末を懸持するために用いられ、
前記棒状体が一端に前記位置決めフレームを結合可能な第２接続部を備え、他端に前記固定部材を結合可能な第１接続部を備え、
かつ前記棒状体が垂直または水平方向に剛性を備え、
前記固定部材が水平または垂直の平面または棒状部材を挟み込み、使用者が前記モバイル端末をタッチ制御できるようにし、
前記モバイル端末が使用者によってタッチされるとき、前記棒状体により外部物品上に強制的に位置決めされ、ぐらつきやずれが生じないようにモバイル端末が保持されることを特徴とする、
ハンドヘルド型モバイル端末固定装置の延伸棒。
【請求項２】
前記棒状体が一節または多節の伸縮可能な棒状、竿状の個人用携帯物品であり、前記個人用携帯物品が傘、杖、ステッキ、棍棒、釣竿、ペン、マイクスタンドまたは譜面台を含むことができ、前記位置決めフレームと前記固定部材をそれぞれ前記棒状体の両端から取り外した後、前記棒状体を傘、杖、ステッキ、棍棒、釣竿、ペン、マイクスタンドまたは譜面台として使用できることを特徴とする、請求項１に記載のハンドヘルド型モバイル端末固定装置の延伸棒。
【請求項３】
前記位置決めフレームが前記棒状体の第２接続部と結合可能な第２連結部を備えたことを特徴とする、請求項１に記載のハンドヘルド型モバイル端末固定装置の延伸棒。
【請求項４】
前記固定部材が前記棒状体の第１接続部と結合可能な第１連結部を備えたことを特徴とする、請求項１に記載のハンドヘルド型モバイル端末固定装置の延伸棒。
【請求項５】
前記棒状体が複数であり、かつ前記棒状体が管状であり相互に入れ子状に連結され、前記棒状体が多段式の伸縮機能を備え、前記延伸棒の使用時の全体長さを増加でき、前記各棒状体が相互に連結される接合面の間に相互に係止及び離脱可能な第１係合部と第２係合部が設けられ、前記各棒状体を相互に伸縮させて係止し、任意の長さに位置決めすることができることを特徴とする、請求項１に記載のハンドヘルド型モバイル端末固定装置の延伸棒。
【請求項６】
前記棒状体が複数であり、各棒状体間がそれぞれ角度調整可能な可動ジョイントにより相互に連結され、前記延伸棒が相互に折り畳み可能であり、多段式の展開機能を備え、前記延伸棒の使用時の全体長さを増加でき、前記可動ジョイント上に締めたり緩めたりすることができる調整ボルトが螺合され、前記各棒状体を相互に伸縮させて任意の角度で前記調整ボルトを締めて位置決めすることができることを特徴とする、請求項１に記載のハンドヘルド型モバイル端末固定装置の延伸棒。
【考案の詳細な説明】
【技術分野】
【０００１】
本考案はハンドヘルド型モバイル端末固定装置の延伸棒に関し、特に、携帯可能で、携帯電話、ゲーム機、電子ブックリーダー、ＧＰＳナビゲーションシステム、タブレットコンピュータ等のモバイル端末を挟持して保持することができる、可動式固定装置の延伸棒に関する。
【背景技術】
【０００２】
近年、携帯電話やタブレットコンピュータ等のハンドヘルド型モバイル端末が非常に普及しており、ほぼ誰もが１台保有している。これらモバイル端末のサイズは小型軽量化が進んでいるが、長時間手に持っていると普段運動不足の人々にとっては徐々に筋肉に負担が蓄積される。
【０００３】
小型のモバイル端末に使用するために別途固定器材が設計されているが、迅速に固定し、便利に取り外すことができ、かつ体積が小さく軽量で、携帯しやすいようにフレームを容易に収縮させることができる効果を備えたものはない。
【０００４】
市販のモバイル端末の固定装置はいずれも湾曲可能な軟質の管体にクリップを組み合わせて卓上に設置するようになっている。しかし、モバイル端末を卓上に懸吊することはできるものの、全体構造が非常に軟弱で、懸吊時間が長すぎて変形し、下垂して湾曲することがよくある。このため、使用者がモニターをタッチして選択の操作をしたいとき、片手でモバイル端末の背面を支えなければならず、従来のモバイル端末の固定装置はタッチによる選択や可動操作に適していない。
【０００５】
また、従来の固定装置は平面の場合のみクリップで挟んで設置することに適しているが、屋外で例えば電車や地下鉄、バスなどには乗客が握持するための垂直の円形の柱しかなく、これらの場合クリップでは効果的に固定できず、かつ従来の固定器材のフレームは単純に固定器材を支持するために用いられ、その他の用途はないため、上述の問題に対する改善が必要である。
【考案の概要】
【考案が解決しようとする課題】
【０００６】
本考案の目的は、携帯が可能で、携帯電話、ゲーム機、電子ブックリーダー、ＧＰＳナビゲーションシステム、タブレットコンピュータ等のモバイル端末を挟持して懸持できる可動式固定装置の延伸棒であって、主に、モバイル端末を懸吊できるだけでなく、適切な全体的剛性を提供し、使用者が懸吊されたモバイル端末上をタッチして操作したり、ジェスチャを使用して手を滑らせたりしてもモバイル端末の固定位置に影響せず、また滑らかな直立した棒を挟んで容易に設置でき、使用者が公共交通機関を利用するとき、モバイル端末を交通機関上に懸吊できると同時に、全体的剛性を維持して、使用者が懸吊したモバイル端末上をタッチして操作したり、ジェスチャを使用して手を滑らせたりすることができ、これにより筋肉の疲労を低減し、肩や首が過度に使用されてコリや痛みを生じることを防止できる、ハンドヘルド型モバイル端末固定装置の延伸棒を提供することにある。
【課題を解決するための手段】
【０００７】
上述の目的を達成するため、本願の第１考案は、棒状体を含み、棒状体の両端に取り外し可能な方式で外部の固定装置の置決めフレームと固定部材がそれぞれ設置され、位置決めフレームが外部のモバイル端末を嵌持して位置決めするために用いられ、固定部材が平面または棒体を含む外部物品上に棒状体と位置決めフレームを固定し、モバイル端末を懸持するために用いられ、前記棒状体が一端に位置決めフレームを結合可能な第２接続部を備え、他端に固定部材を結合可能な第１接続部を備え、かつ棒状体が垂直または水平方向に剛性を備え、前記固定部材が水平または垂直の平面または棒状部材を挟み込み、使用者がモバイル端末をタッチ制御できるようにし、モバイル端末が使用者によってタッチされるとき、棒状体により外部物品上に強制的に位置決めされ、ぐらつきやずれが生じないようにモバイル端末が保持される、ハンドヘルド型モバイル端末固定装置の延伸棒を提供する。
【０００８】
本願の第２考案は、前記棒状体が一節または多節の伸縮可能な棒状、竿状の個人用携帯物品であり、前記個人用携帯物品が傘、杖、ステッキ、棍棒、釣竿、ペン、マイクスタンドまたは譜面台を含むことができ、前記位置決めフレームと前記固定部材をそれぞれ前記棒状体の両端から取り外した後、前記棒状体を傘、杖、ステッキ、棍棒、釣竿、ペン、マイクスタンドまたは譜面台として使用できることを特徴とする、前記第１考案に記載のハンドヘルド型モバイル端末固定装置の延伸棒を提供する。
【０００９】
本願の第３考案は、前記位置決めフレームが前記棒状体の第２接続部と結合可能な第２連結部を備えたことを特徴とする、前記第１考案に記載のハンドヘルド型モバイル端末固定装置の延伸棒を提供する。
【００１０】
本願の第４考案は、前記固定部材が前記棒状体の第１接続部と結合可能な第１連結部を備えたことを特徴とする、前記第１考案に記載のハンドヘルド型モバイル端末固定装置の延伸棒を提供する。
【００１１】
本願の第５考案は、前記棒状体が複数であり、かつ前記棒状体が管状であり相互に入れ子状に連結され、前記棒状体が多段式の伸縮機能を備え、前記延伸棒の使用時の全体長さを増加でき、前記各棒状体が相互に連結される接合面の間に相互に係止及び離脱可能な第１係合部と第２係合部が設けられ、前記各棒状体を相互に伸縮させて係止し、任意の長さに位置決めすることができることを特徴とする、前記第１考案に記載のハンドヘルド型モバイル端末固定装置の延伸棒を提供する。
【００１２】
本願の第６考案は、前記棒状体が複数であり、各棒状体間がそれぞれ角度調整可能な可動ジョイントにより相互に連結され、前記延伸棒が相互に折り畳み可能であり、多段式の展開機能を備え、前記延伸棒の使用時の全体長さを増加でき、前記可動ジョイント上に締めたり緩めたりすることができる調整ボルトが螺合され、前記各棒状体を相互に伸縮させて任意の角度で前記調整ボルトを締めて位置決めすることができることを特徴とする、前記第１考案に記載のハンドヘルド型モバイル端末固定装置の延伸棒を提供する。
【考案の効果】
【００１３】
本考案のハンドヘルド型モバイル端末固定装置の延伸棒は、携帯が可能で、携帯電話、ゲーム機、電子ブックリーダー、ＧＰＳナビゲーションシステム、タブレットコンピュータ等のモバイル端末を挟持して懸持できる可動式固定装置の延伸棒であって、主に、モバイル端末を懸吊できるだけでなく、適切な全体的剛性を提供し、使用者が懸吊されたモバイル端末上をタッチして操作したり、ジェスチャを使用して手を滑らせたりしてもモバイル端末の固定位置に影響せず、また滑らかな直立した棒を挟んで容易に設置でき、使用者が公共交通機関を利用するとき、モバイル端末を交通機関上に懸吊できると同時に、全体的剛性を維持して、使用者が懸吊したモバイル端末上をタッチして操作したり、ジェスチャを使用して手を滑らせたりすることができ、これにより筋肉の疲労を低減し、肩や首が過度に使用されてコリや痛みを防止できる効果を有する。
【図面の簡単な説明】
【００１４】
【図１】本考案の最良の実施例の正面図である。
【図２】図１の上面図である。
【図３】図１の位置決めフレームの立体図である。
【図４】本考案の追加実施形態の正面図である。
【図５】本考案の別の追加実施形態の正面図である。
【図６】図５の上面図である。
【図７】図５の使用状態の部分拡大図である。
【図８】本考案のさらに別の追加実施形態の正面図である。
【図９】本考案の使用状態を示す図である。
【図１０】本考案の別の使用状態を示す図である。
【図１１】図８の棒状体の断面図である。
【考案を実施するための形態】
【００１５】
図１から図１１に本考案の最良の実施例を示す。本考案のハンドヘルド型モバイル端末固定装置の延伸棒は、棒状体１を含み、棒状体１は断面が円柱形または多辺形の棒体とすることができる。棒状体１の両端には取り外し可能な方式で外部の固定装置の置決めフレーム２と固定部材３がそれぞれ設置され、位置決めフレーム２が携帯電話、ゲーム機、電子ブックリーダー、ＧＰＳナビゲーションシステムまたはタブレットコンピュータ等の外部のモバイル端末７を嵌持して位置決めするために用いられ、固定部材３が平面または棒体を含む外部物品上に棒状体１と位置決めフレーム２を固定し、モバイル端末７を懸持するために用いられる。
【００１６】
前記棒状体１が一端に位置決めフレーム２を結合可能な第２接続部１２を備え、他端に固定部材３を結合可能な第１接続部１１を備え、かつ棒状体１は垂直または水平方向に剛性を備えている。
【００１７】
前記固定部材３は水平または垂直の平面、円柱形または細長い形状の棒、竿、棒状の支持フレーム構造等の外部物品を迅速に挟み込んで外部物品に固定することができ、使用者がモバイル端末７をタッチ制御できるようにして、モバイル端末７が使用者によってタッチされるとき、棒状体１により外部物品上に強制的に位置決めされ、ぐらつきやずれが生じないようにモバイル端末７が保持される。
【００１８】
前記棒体は、公共交通機関の車両内及び周辺の人が握持するために用いることができる水平ポール８１と垂直ポール８２としてもよい。
【００１９】
棒状体１は一節または多節の伸縮可能な棒状、竿状の個人用携帯物品とすることができる。個人用携帯物品は傘、杖、ステッキ、棍棒、釣竿、ペン、マイクスタンドまたは譜面台としてもよい。
位置決めフレーム２と固定部材３をそれぞれ棒状体１の両端から取り外した後、棒状体１は傘、杖、ステッキ、棍棒、釣竿、ペン、マイクスタンドまたは譜面台として使用でき、かつ傘、杖、ステッキ、棍棒、釣竿、ペン、マイクスタンドとして使用する棒状体１両端の第１接続部１１と第２接続部１２上に第１接続部１１と第２接続部１２を保護するためのパッドまたはカバーをそれぞれ設置することができる。棒状体１を雨傘または日傘として使用する場合、棒状体１の外側に傘の骨と、骨の外を覆う傘布６が設置される。
【００２０】
固定部材３は少なくとも１つの可動はさみ部３１、３２を備えている。
【００２１】
固定部材３は少なくとも２つの相互に対称の可動はさみ部３１、３２を備え、各組のはさみ部３１、３２上にそれぞれ回転軸３３、３４が枢設され、各回転軸３３、３４上にネジ孔３３１、３４１を設ける。
はさみ部３１、３２の回転軸３３、３４のネジ孔３３１、３４１間にはボルト３５が螺着され、ボルト３５で片側からはさみ部３１、３２の間の開き具合を調整し、外部物品を挟持したり、解放したりすることができ、かつボルト３５の一端に使用者がボルト３５を回動させるために利用する調整ヘッド３５１が設置される。
【００２２】
または、固定部材３ａは少なくとも２つの相互に対称な可動はさみ部３１ａ、３２ａと、はさみ部３１ａ、３２ａ外囲まで延伸されたカバー３８ａを含み、各組のはさみ部３１ａ、３２ａ上にそれぞれ回転軸３３ａ、３４ａが枢設され、各回転軸３３ａ、３４ａ上にネジ孔３３１ａ、３４１ａがそれぞれ設けられ、カバー３８ａ上に回転軸３３ａ、３４ａに近接した２つのネジ孔３８１ａ、３８２ａがそれぞれ設けられる。
各はさみ部３１ａ、３２ａの回転軸３３ａ、３４ａのネジ孔３３１ａ、３４１ａと、相隣するカバー３８ａのネジ孔３８１ａ、３８２ａ間にそれぞれボルト３５ａ、３６ａが螺着され、２本のボルト３５ａ、３６ａを利用して両側からはさみ部３１ａ、３２ａ間の開き具合を調整し、外部物品を挟持したり、解放したりすることができる。さらにボルト３５ａ、３６ａの一端に使用者がボルト３５ａ、３６ａを回動させるために利用する調整ヘッド３５１ａ、３６１ａが設置される。
【００２３】
或いは、固定部材３ｃは少なくとも２つの相互に対称な可動はさみ部３１ｃ、３２ｃを含み、かつ固定部材３ｃ上にはさみ部３１ｃ、３２ｃの間の開き具合を駆動して調整できる駆動装置３７ｃが設置され、駆動装置３７ｃはモーターとすることができる。
【００２４】
固定部材３、３ａ、３ｂ、３ｃは後端部に棒状体１、１ａ、１ｂの第１接続部１１、１１ａ、１１ｂを結合可能な第１連結部３０、３０ａ、３０ｂ、３０ｃを備え、第１連結部３０、３０ａ、３０ｂ、３０ｃと第１接続部１１、１１ａ、１１ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００２５】
はさみ部３１ｂまたは３２ｂはリリース装置３２０ｂを備える。リリース装置３２０ｂは、固定部材３ｂ上に枢着されたベース部３２１ｂと、ベース部３２１ｂ上の固定部材３ｂから離れた位置に枢着された爪部３２２ｂを含み、ベース部３２１ｂと爪部３２２ｂが相対する接合面上にそれぞれ位置決め孔３２３ｂ、３２４ｂを設ける。
位置決め孔３２３ｂ、３２４ｂ間には位置決め棒３２５ｂが穿設され、ベース部３２１ｂと爪部３２２ｂを結合して固定し、固定部材３ｂを公共交通機関の車内及び周辺の人が握持するために用いる水平ポール８１や垂直ポール８２上から急いで取り外す必要があるときは、リリース装置３２０ｂの位置決め棒３２５ｂを抜き取ると、爪部３２２ｂが外側に向かって揺動し、固定部材３ｂが緩むため、リリース装置３２０ｂを開くことができる。
【００２６】
棒状体１、１ａ、１ｂは単数または複数とすることができ、かつ複数の棒状体１ｂ、１ｂ´は管状であり相互に入れ子状に連結する。複数の棒状体１ｂ、１ｂ´は多段式の伸縮機能を備えており、延伸棒の使用時の全体長さを増加できる。
各棒状体１ｂ、１ｂ´が相互に連結される接合面の間に相互に係止及び離脱可能な第１係合部１３ｂと第２係合部１４ｂが設けられる。第１係合部１３ｂは棒状体１ｂ内壁に設けた凸部とし、第２係合部１４ｂは別の棒状体１ｂ´外壁に設けた凸部としてもよく、各棒状体１ｂ、１ｂ´を相互に伸縮させて係止し、任意の長さに位置決めすることができる。
【００２７】
或いは、各延伸棒１ａ間を一個以上の角度調整が可能な可動ジョイント１０ａで相互に連結し、延伸棒１ａを相互に折り畳み可能として、多段式の展開機能を具備させ、延伸棒１ａの使用時の全体長さを増加できる。可動ジョイント１０ａ上に締めたり緩めたりすることができる調整ボルト１５ａが螺合され、各棒状体１ａを相互に伸縮させて任意の角度で締めて位置決めし、可動ジョイント１０ａは０度から３６０度の間で多角度の角度調整が可能であり、可動ジョイント１０ａは枢接軸または自在継手とすることができる。
【００２８】
延伸棒１、１ａ、１ｂは平時において縮小状態下で便利に携帯できるが、伸ばして展開したとき、長さを人の手で便利に操作できる視線内の範囲に伸ばすことができ、かつ長さと角度の調整により、モバイル端末７の画面を自分で操作がしやすい範囲に調節することができる。
【００２９】
位置決めフレーム２背面には棒状体１の第２接続部１２、１２ａ、１２ｂを結合可能な第２連結部２０が設けられ、第２連結部２０と第２接続部１２、１２ａ、１２ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００３０】
位置決めフレーム２ａは幅の大きさを調整できる伸縮カバー体としてもよく、カバー体はベース座体２１と、ベース座体２１周辺に環状に設けられた可撓性フレーム２２を備える。
ベース座体２１とフレーム２２内壁の間に外部のモバイル端末７を嵌持して位置決めするために用いる位置決め槽２３が形成され、かつベース座体２１背面に第２連結部２０が設けられ、棒状体１の第２接続部１２と結合するために用いられる。位置決めフレーム２は第２連結部２０を介し棒状体１、１ａ、１ｂを軸として９０度の角度で回動することができる。
【００３１】
上述の構成により、固定装置の延伸棒は便利に携帯して隨時使用でき、かつ固定部材３、３ａ、３ｂ、３ｃにより公共交通機関の車両内及び周辺の人が握持するための水平ポール８１と垂直ポール８２上に便利かつ迅速に取り付けることができ、同時に位置決めフレーム２を利用してモバイル端末７を挟持し、長時間手に物を持っている時間を減少することができる。
【００３２】
位置決めフレーム２と固定部材３、３ａ、３ｂ、３ｃをそれぞれ棒状体１、１ａ、１ｂ両端の第１接続部１１、１１ａ、１１ｂと第２接続部１２、１２ａ、１２ｂ上から取り外した後、棒状体１、１ａ、１ｂは任意に伸縮させて杖、ステッキ、釣竿、ペン、マイクスタンドまたは譜面台等の個人用携帯物品として使用することができ、棒状体１上に傘の骨と傘布６を設けた場合、雨傘または日傘として使用することもできる。
【００３３】
このように、本考案の固定装置の延伸棒は携帯に便利であり、固定部材３、３ａ、３ｂ、３ｃにより周辺のポール８１、８２がある場所に対して簡単かつ迅速に取り付けと取り外しを行うことができ、かつ位置決めフレーム２によりモバイル端末７を嵌持して位置決めし、筋肉の疲労を低減すると共に、肩や首の過度の使用による痛みを回避することができる。
このほか、棒状体１、１ａ、１ｂは両端の位置決めフレーム２と固定部材３、３ａ、３ｂ、３ｃを自由に取り外し、傘、杖、ステッキ、棍棒、釣竿、ペン、マイクスタンドまたは譜面台等個人用携帯物品として使用することができる。
【符号の説明】
【００３４】
１、１ａ、１ｂ、１ｂ´  棒状体
１０ａ  ジョイント
１１、１１ａ、１１ｂ  第１接続部
１２、１２ａ、１２ｂ  第２接続部
１３ｂ  第１係合部
１４ｂ  第２係合部
１５ａ  調整ボルト
２  位置決めフレーム
２０  第２連結部
２１  ベース座体
２２  フレーム
２３  位置決め槽
３、３ａ、３ｂ、３ｃ  固定部材
３０、３０ａ、３０ｂ、３０ｃ  第１連結部
３１、３２、３１ａ、３２ａ、３１ｂ、３２ｂ、３１ｃ、３２ｃ  はさみ部
３２１ｂ  ベース部
３２２ｂ  爪部
３２３ｂ、３２４ｂ  位置決め孔
３２５ｂ  位置決め棒
３３、３４、３３ａ、３４ａ  回転軸
３３１、３４１、３３１ａ、３４１ａ、３８１ａ、３８２ａ  ネジ孔
３５、３５ａ、３６ａ  ボルト
３５１、３５１ａ、３６１ａ  調整ヘッド
３７ｃ  駆動装置
３８ａ  カバー
６  傘布
７  モバイル端末
８１  水平ポール
８２  垂直ポール
【図１】
0003180902.tif 000003
【図２】
0003180902.tif 000004
【図３】
0003180902.tif 000005
【図４】
0003180902.tif 000006
【図５】
0003180902.tif 000007
【図６】
0003180902.tif 000008
【図７】
0003180902.tif 000009
【図８】
0003180902.tif 000010
【図９】
0003180902.tif 000011
【図１０】
0003180902.tif 000012
【図１１】
0003180902.tif 000013